(57)【特許請求の範囲】
【請求項１】
アクセス・モジュールとトランスポンダー・モジュールとの間にデータリンクを確立するための方法であって、
前記アクセス・モジュールをＣＡＮバスに接続するステップであって、前記ＣＡＮバスは、一つ又はそれ以上のトランスポンダー・モジュールに接続されており、トランスポンダー・モジュールは、トランスポンダーＩＤと関連しているステップと、
一つ又はそれ以上のアナウンスＣＡＮメッセージを前記ＣＡＮバスを通じて送信するステップであって、アナウンスＣＡＮメッセージのペイロードは、アンサーＣＡＮアドレスを含むステップと、
一つ又はそれ以上のリクエストＣＡＮメッセージを前記一つ又はそれ以上のトランスポンダー・モジュールから受信するステップであって、リクエストＣＡＮメッセージは、前記アンサーＣＡＮアドレス及び前記一つ又はそれ以上のトランスポンダー・モジュールの一つのトランスポンダーＩＤを含むステップと、
を含み、
前記アクセス・モジュールは、前記一つ又はそれ以上のリクエストＣＡＮメッセージに基づいて、トランスポンダー・モジュールを選択して、前記データリンクを確立することを特徴とする方法。
【請求項２】
前記ＣＡＮバスを通じて肯定応答ＣＡＮメッセージをブロードキャストすることによって、前記選択されたトランスポンダー・モジュールとのデータリンクを確立するステップであって、前記肯定応答ＣＡＮメッセージは、前記選択されたトランスポンダーのトランスポンダーＩＤを含むステップ、をさらに含むこととする請求項１に記載の方法。
【請求項３】
アナウンスＣＡＮメッセージのＣＡＮ ＩＤフィールドが前記アクセス・モジュールのＣＡＮＩＤを含んでいること、及び、リクエストＣＡＮメッセージのＣＡＮ ＩＤフィールドがアンサーＣＡＮ ＩＤを含んでいることの少なくとも一方であることとする請求項１又は請求項２に記載の方法。
【請求項４】
前記アクセス・モジュールは、一つ又はそれ以上のリクエストＣＡＮメッセージを、前記ＣＡＮバスを通じて、前記一つ又はそれ以上のトランスポンダー・モジュールから受信するステップであって、リクエストＣＡＮメッセージのＣＡＮＩＤフィールドは、アンサーＣＡＮ ＩＤを含むステップ、
をさらに含むこととする請求項１乃至請求項３のいずれか一つに記載の方法。
【請求項５】
前記一つ又はそれ以上のブロードキャストされたアナウンスＣＡＮメッセージの受信に応答して、前記一つ又はそれ以上のトランスポンダー・モジュールは、リクエストＣＡＮメッセージを異なるタイム・インスタンスでアクセス・モジュールにブロードキャストするステップをさらに含むこととする請求項１乃至請求項４のいずれか一つに記載の方法。
【請求項６】
トランスポンダー・モジュールが、アナウンスＣＡＮメッセージの受信に応答して、そのトランスポンダーＩＤに基づき、前記リクエストＣＡＮメッセージを前記アクセス・モジュールにブロードキャストするタイム・インスタンスを決定するステップを含むこととする請求項１乃至請求項５のいずれか一つに記載の方法。
【請求項７】
選択されたトランスポンダー・モジュールは、前記アクセス・モジュールが、最初に受信するリクエストＣＡＮメッセージにおいて識別されていることとする請求項１乃至請求項６のいずれか一つに記載の方法。
【請求項８】
前記アクセス・モジュールと前記選択されたトランスポンダー・モジュールとの間にデータリンクを確立して、ユーザーがトランスポンダー内の一つ又はそれ以上の機能の少なくとも一部を使用する権利を有しているかどうかを判定し、トランスポンダー内の一つ又はそれ以上の機能に関連するライセンス情報の送信、及び、トランスポンダーへの一つ又はそれ以上のアップデートの送信の少なくとも一方を行うステップを含むこととする請求項１乃至請求項７のいずれか一つに記載の方法。
【請求項９】
ユーザーがトランスポンダー内の一つ又はそれ以上の機能の少なくとも一部を使用する権利を有しているかどうかを判定するステップは、
前記選択されたトランスポンダー・モジュールに時刻情報を送信して、前記トランスポンダー・モジュールが、トランスポンダー・モジュールのユーザーが一つ又はそれ以上のトランスポンダー機能の少なくとも一部を使用する権利を有しているかどうかをチェックすることを可能にするステップ、
を含むこととする請求項８に記載の方法。
【請求項１０】
前記時刻情報は、前記アクセス・モジュール内のリアルタイム・クロックと関連する暗号化された時刻情報であることとする請求項９に記載の方法。
【請求項１１】
前記アクセス・モジュールをＣＡＮバスに接続するステップは、
前記アクセス・モジュールを備えるハードウェア・カードを、前記ハードウェア・カードを受け入れるよう構成されているソケット内に着脱可能に位置決めして、ハードウェア・カードが前記ソケット内に位置決めされたとき、前記ハードウェア・カードの電気接点が前記ＣＡＮバスと電気的な接続状態となるようにするステップ、
を含むこととする請求項１乃至請求項１０のいずれか一つに記載の方法。
【請求項１２】
前記トランスポンダー・モジュールは、スポーツ計時システム内で使用されるよう構成されているスポーツ計時トランスポンダー・モジュールであることとする請求項１乃至請求項１１のいずれか一つに記載の方法。
【請求項１３】
スポーツ計時システムで使用されるトランスポンダー・モジュールであって、前記トランスポンダー・モジュールは、アクセス・モジュールとのデータリンクを確立して、ユーザーが、一つ又はそれ以上のトランスポンダー機能の少なくとも一部の活動状態化、及び、それへのアクセスの少なくとも一方を可能にするよう構成されたトランスポンダー・モジュールにおいて、
前記トランスポンダー・モジュールは、
前記トランスポンダー・モジュールをＣＡＮバスに電気的に接続するＣＡＮインタフェースと、
コンピュータで読取可能な記憶媒体であって、それに収録されたコンピュータで読取可能なプログラムコードを有するコンピュータで読取可能な記憶媒体と、
コンピュータで読取可能な記憶媒体に結合されていて、コンピュータで読取可能なプログラムコードの実行に応答するマイクロプロセッサとを備え、
前記マイクロプロセッサは、
前記アクセス・モジュールからアナウンスＣＡＮメッセージを受信するステップであって、前記アナウンスＣＡＮメッセージのペイロードは、アンサーＣＡＮアドレスを含むステップと、
リクエストＣＡＮメッセージを前記一つ又はそれ以上のトランスポンダー・モジュールからブロードキャストするステップであって、各リクエストＣＡＮメッセージは、前記アンサーＣＡＮアドレス及び前記一つ又はそれ以上のトランスポンダー・モジュールの一つのトランスポンダーＩＤを含むステップと、
を含む実行可能な動作を行うよう構成されている、
ことを特徴とするトランスポンダー・モジュール。
【請求項１４】
前記マイクロプロセッサは、アナウンスＣＡＮメッセージの受信に応答して、前記ＣＡＮバスを通じて前記リクエストＣＡＮメッセージをブロードキャストするタイム・インスタンスを決定するステップであって、前記タイム・インスタンスは、前記トランスポンダーＩＤに基づいて決定されるステップを含む実行可能な動作を行うようさらに構成されていることとする請求項１３に記載のトランスポンダー・モジュール。
【請求項１５】
トランスポンダー・モジュールとのデータリンクを確立するよう構成されているアクセス・モジュールであって、前記アクセス・モジュールは、前記トランスポンダー・モジュール内の一つ又はそれ以上のトランスポンダー機能の少なくとも一部の活動状態化、及び、それへのアクセスの少なくとも一方を行うよう構成されているアクセス・モジュールにおいて、
前記アクセス・モジュールは、
前記トランスポンダー・モジュールをＣＡＮバスに電気的に接続するためのＣＡＮインタフェースであって、ＣＡＮバスは、一つ又はそれ以上のトランスポンダー・モジュールにさらに接続されているＣＡＮインタフェースと、
コンピュータで読取可能な記憶媒体であって、それによって収録されたコンピュータで読取可能なプログラムコードを有するコンピュータで読取可能な記憶媒体と、
コンピュータで読取可能な記憶媒体に結合されていて、コンピュータで読取可能なプログラムコードの実行に応答するマイクロプロセッサとを備え、
前記マイクロプロセッサは、
一つ又はそれ以上のアナウンスＣＡＮメッセージを前記ＣＡＮバスを通じてブロードキャストするステップであって、アナウンスＣＡＮメッセージのペイロードは、アンサーＣＡＮアドレスを含むステップと、
一つ又はそれ以上のリクエストＣＡＮメッセージを前記一つ又はそれ以上のトランスポンダー・モジュールから受信するステップであって、リクエストＣＡＮメッセージは、前記アンサーＣＡＮアドレス及び前記一つ又はそれ以上のトランスポンダー・モジュールの一つのトランスポンダーＩＤを含むステップと、
前記一つ又はそれ以上のリクエストＣＡＮメッセージに基づき、トランスポンダー・モジュールを選択して、前記データリンクを確立するステップと、
を含む実行可能な動作を行うよう構成されている、
ことを特徴とするアクセス・モジュール。
【請求項１６】
請求項１５に記載のアクセス・モジュールを受け入れるよう構成されているソケットであって、前記ソケットは、一つ又はそれ以上のトランスポンダーに接続されているＣＡＮバスと電気的な接続状態にあり、前記ソケットは、アクセス・モジュールを着脱可能に位置決めするよう構成されており、アクセス・モジュールが、前記ソケット内に位置決めされたとき、アクセス・モジュールは、ＣＡＮバスと電気的な接続状態になることを特徴とするソケット。
【請求項１７】
車両内で使用するためのトランスポンダー・システムであって、
トランスポンダーと、
データバスを介して前記トランスポンダーに通信可能に接続されるアクセスキーと、
前記アクセスキーを受け入れ、かつ、アクセスキーを着脱可能に位置決めするよう構成されているソケットであって、アクセスキーが、前記ソケット内に位置決めされたとき、前記データバスを介してアクセスキーが前記トランスポンダーに電気的に接続されるソケットと、
を備え、
前記アクセスキーは、前記トランスポンダーの活動状態化、及び、ライセンス情報及びファームウェアの更新の少なくとも一方に基づいたトランスポンダーの形成の少なくとも一方を行うよう構成されている、
ことを特徴とするトランスポンダー・システム。
【請求項１８】
前記データバスはＣＡＮバスであることとする請求項１７に記載のトランスポンダー・システム。
【発明の詳細な説明】
【技術分野】
【０００１】
本発明は、トランスポンダー・モジュール及び該トランスポンダー・モジュールを、コントローラ・エリア・ネットワーク（ＣＡＮ）バスを通じて活動状態にし、かつ（あるいは）、それを構成するためのアクセス・モジュールに関し、具体的には、しかし、排他的ではなく、トランスポンダー・モジュールとアクセス・モジュールとの間にＣＡＮベースのデータリンクを確立するための方法、アクセス・モジュールを伴ってＣＡＮベースのデータリンクを確立するよう構成されているトランスポンダー、及び該トランスポンダー内のトランスポンダー機能の活動状態化及び（又は）構成を可能にするよう構成されているアクセス・モジュール、及び該方法を用いるためのコンピュータプログラム製品に関する。
【背景技術】
【０００２】
サーキット又はオフロード・モータースポーツイベントやサイクリングイベント等の車両スポーツイベント用の計時システムは、例えばラップタイム、合計時間、平均ラップタイム、ランキング等の計時情報を決定するための車両内又は車両上に取り付けられる無線トランスポンダーを用いる。トランスポンダーは、レーストラック又はコース内に、その上に、かつ（あるいは）、それに沿って配置されているアンテナによってピックアップされる一意の識別子を含むトランスポンダー信号を送信するよう構成されている。アンテナは、該アンテナを横切る車両のトランスポンダー信号をトランスポンダーデータに変換するデコーダに接続されている。これらのデータは、次いで、レースイベントに参加している車両の計時情報を決定するために、データ処理システムに送られる。
【０００３】
従来の計時システムは、一般に、計時操作員によってセットアップされ、かつ、管理され、操作員は、イベントへの参加者用のトランスポンダーを構成し、かつ、トランスポンダーを計時システムに登録する。しかしながら現今、参加者は、彼ら自身のパーソナル・トランスポンダーを購入して、それを車両内に、又は、車両上に（半）永久的に設置できるようになっている。トランスポンダーは、イベントの前又はイベント中に、計時システムに登録させることができる。
【０００４】
特許文献１には、既知のスポーツ計時システムの一例が説明されている。トランスポンダーの機能性は、限定されており、また、ユーザーのニーズ及び（又は）レーシング・イベントの要求に従って、トランスポンダーの機能を（再）構成し、かつ（あるいは）、拡張できる可能性が全くないか、あるいは少なくともほとんどない。さらに、トランスポンダーは、過酷な条件に耐えるよう構成されていることが多く、車両内の、アクセスがあまりよくできない場所に設置される。そしてひとたび設置されると、トランスポンダーへの物理的なアクセスが難しくなり、したがって、トランスポンダーの迅速な再構成及び（又は）トランスポンダーのファームウェアの更新は、トランスポンダーを物理的に外さない限りできなくなる場合が多い。
【先行技術文献】
【特許文献】
【０００５】
【特許文献１】欧州特許出願公開第１４４７６８１号
【発明の概要】
【発明が解決しようとする課題】
【０００６】
したがって、上記のことから、従来技術においては、トランスポンダー内の異なる機能性の容易な構成及び（又は）更新、及び（又は）トランスポンダーと関連するサービスを許容する、改良されたトランスポンダーが必要性である、ということになる。具体的には、従来技術においては、イベントのタイプ、車両のタイプ、イベントの地理的な場所、ユーザーの好み等のパラメータに基づいて、トランスポンダーを、車両から取り外さずに、簡単、確実かつ安全なやり方で構成することを可能にする方法及びシステムの必要性が存在する。
【課題を解決するための手段】
【０００７】
本発明の態様は、当業者なら理解されるところであるが、システム、方法又はコンピュータプログラム製品として実施することができる。よって、本発明の態様は、ハードウェアの形態、ソフトウェアの形態（ファームウェア、常駐ソフトウェア、マイクロコード等を含む）、又は、ここで全て一般的に「回路」、「モジュール」又は「システム」と呼べる、ソフトウェアとハードウェア態様とを組み合わせた形態の形を採ることができる。この開示で説明する機能は、コンピュータのマイクロプロセッサによって実行されるアルゴリズムとして実現することができる。さらに、本発明の態様は、一つ又はそれ以上のコンピュータで読取可能な媒体（複数も可）内に収録されたコンピュータプログラム製品であって、それに収録された、例えば、格納された、コンピュータで読取可能なプログラムコードを有するコンピュータプログラム製品の形を採ることができる。
【０００８】
また、一つ又はそれ以上のコンピュータで読取可能な媒体（複数も可）のいかなる組合せも利用することができる。コンピュータで読取可能な媒体は、コンピュータで読取可能な信号媒体又はコンピュータで読取可能な記憶媒体とすることができる。コンピュータで読取可能な記憶媒体は、例えば、電子、磁気、光学、電磁、赤外線、又は半導体システム、装置、又はデバイス、又は、これらの任意の適当な組合せとすることができるが、それらに限定されない。コンピュータで読取可能な記憶媒体のより具体的な例（包括的ではないリスト）には、下記のものが含まれるであろう。すなわち、一つ又はそれ以上の線（ワイヤ）を有する電気的な接続体、ポータブルコンピュータのディスケット、ハードディスク、ランダムアクセスメモリ（ＲＡＭ）、リードオンリーメモリ（ＲＯＭ）、消去できるプログラマブル・リードオンリーメモリ（ＥＰＲＯＭ又はフラッシュメモリ）、オプチカルファイバー、ポータブルなコンパクトディスク・リードオンリーメモリ（ＣＤ−ＲＯＭ）、光学記憶装置、磁気記憶装置、又はこれらの任意の適当な組合せが含まれるであろう。この明細書の文脈では、コンピュータで読取可能な記憶媒体は、命令実行システム、装置、又はデバイスによって使用される、あるいは、それと接続されるプログラムを含む、又は格納する任意の有形の媒体とすることができる。
【０００９】
コンピュータで読取可能な信号媒体は、伝播データ信号であって、その中に、例えば、ベースバンド内に又は搬送波の一部として収録された、コンピュータで読取可能なプログラムコードを有する伝播データ信号を含むことができる。このような伝播信号は、電磁、光学、 又は それらの任意の適当な組合せを含む、しかしそれらに限定されない様々な形態のうちの任意の形態を採ることができる。コンピュータで読取可能な信号媒体は、コンピュータで読取可能な記憶媒体ではなくて、命令実行システム、装置、又はデバイスによって使用される、あるいは、それと接続されるプログラムを通信し、伝播し、あるいは、移送することができる任意のコンピュータで読取可能な媒体とすることができる。
【００１０】
コンピュータで読取可能な媒体に収録されたプログラムコードは、無線、ワイヤーライン、オプチカルファイバー、ケーブル、ＲＦ、等、又は、これらの任意の適当な組合せを含むがしかしそれらに限定されない任意の適当な媒体を用いて、送信することができる。本発明の態様のための、動作を実行するコンピュータプログラムコードは、Ｊａｖａ（登録商標）、スモールトーク、Ｃ＋＋等のオブジェクト指向プログラミング言語、及び、「Ｃ」プログラミング言語又は同様のプログラミング言語等の従来の手続き型のプログラミング言語を含む一つ又はそれ以上のプログラミング言語の任意の組合せで書くことができる。プログラムコードは、専らユーザーのコンピュータ上で、スタンドアロン・ソフトウェアパッケージとして部分的にユーザーコンピュータ上で、部分的にユーザーのコンピュータ上及び部分的に遠隔コンピュータ上で、又は、専ら遠隔コンピュータ又はサーバー上で、実行することができる。後者のシナリオでは、遠隔コンピュータは、ローカルエリアネットワーク（ＬＡＮ）又はワイドエリアネットワーク（ＷＡＮ）を含む任意のタイプのネットワークを介して、ユーザーのコンピュータに接続することができ、あるいは、この接続は、外部コンピュータに（例えば、インターネット・サービスプロバイダを用いるインターネットを介して）行うことができる。 
【００１１】
以下、本発明の態様を、本発明の実施形態に係る方法、装置（システム）、及びコンピュータプログラム製品のフローチャート図及び（又は）ブロック図を参照して説明する。フローチャート図及び（又は）ブロック図の各ブロック、及び、フローチャート図及び（又は）ブロック図におけるブロック（複数）の組合せは、コンピュータプログラム命令によって実現可能であることが理解されよう。これらのコンピュータプログラム命令は、汎用コンピュータ、専用コンピュータ、又は他のプログラマブルデータ処理装置のプロセッサの、具体的には、マイクロプロセッサ又は中央処理装置（ＣＰＵ）に与えて、マシンを構築し、コンピュータのプロセッサ、他のプログラマブルデータ処理装置、又は他の装置を介して実行される命令により、フローチャート及び（又は）ブロック図のブロック又はブロック（複数）内で指定された機能／動作を実現するための手段が生成されるようにすることができる。
【００１２】
これらのコンピュータプログラム命令も、コンピュータ、他のプログラマブルデータ処理装置、又は特定のやり方で機能する他の装置に指示することができる、コンピュータで読取可能な媒体内に格納して、コンピュータで読取可能な媒体に格納されている命令により、フローチャート及び（又は）ブロック図のブロック又はブロック（複数）内で指定された機能／動作を実現する命令を含む製品が作り出されるようにすることができる。
【００１３】
コンピュータプログラム命令はまた、コンピュータ、他のプログラマブルデータ処理装置、又は他の装置にロードして、コンピュータ、他のプログラマブル装置又は他の装置上で一連の動作ステップを行わせ、コンピュータで実行される処理を作り出して、コンピュータ又は他のプログラマブル装置上で実行される命令により、フローチャート及び（又は）ブロック図のブロック又はブロック（複数）内で指定される機能／動作を実行する処理が行われるようにすることができる。
【００１４】
図のフローチャート及びブロック図は、本発明の各種の実施形態に係るシステム、方法及びコンピュータプログラム製品の可能な実装におけるアーキテクチャ、機能性、及び動作を説明するものである。この点で、フローチャート又はブロック図の各ブロックは、特定の論理機能（複数も可）を実行するための一つ又はそれ以上の実行可能な命令を含むモジュール、セグメント、又は、コードの一部分を代表することができる。なお、別の実装では、ブロック（複数）内に示された機能は、図に示された順序を越えて行われる場合があることにも注目すべきである。例えば、連続して示された２つのブロック（複数）は、事実、実質的に同時に実行することができ、あるいは、含まれている機能性により、ブロック（複数）を逆の順序で実行することができる場合もある。ブロック図及び（又は）フローチャート図の各ブロック、及び、ブロック図及び（又は）フローチャート図内のブロック（複数）の組合せは、特定の機能又は動作を行う専用のハードウェアベースのシステム、又は、専用のハードウェアとコンピュータ命令との組合せによって実現できることにも注目されよう。
【００１５】
本発明の目的は、従来技術における既知の欠点の少なくとも一つを軽減もしくは排除することである。一態様では、本発明は、アクセス・モジュールと一つ又はそれ以上のトランスポンダー・モジュールとの間にデータリンクを確立する方法に関わることができる。
【００１６】
一形態では、トランスポンダー・モジュールは、スポーツ計時システムで使用されるものとすることができる。
【００１７】
一実施形態では、この方法は、前記アクセス・モジュールをＣＡＮバスを介して一つ又はそれ以上のトランスポンダー・モジュールに接続するステップであって、トランスポンダー・モジュールは、トランスポンダーのＩＤと関連しており、アクセス・モジュールが、一つ又はそれ以上の第１の（アナウンス）ＣＡＮメッセージを、前記ＣＡＮバスを介して、前記一つ又はそれ以上のトランスポンダー・モジュールに送信し、好ましくは、ブロードキャストし、第１のアナウンスＣＡＮメッセージのペイロードは、アンサーＣＡＮＩＤを含むステップと、一つ又はそれ以上の第２の（リクエスト）ＣＡＮメッセージを、前記一つ又はそれ以上のトランスポンダー・モジュールから受信するステップであって、第２のＣＡＮメッセージのペイロードは、前記第２のＣＡＮメッセージをブロードキャストするトランスポンダー・モジュールのトランスポンダーＩＤを含むステップと、前記アンサーＣＡＮＩＤ及び前記トランスポンダー・モジュールのトランスポンダーＩＤに基づいて、前記一つ又はそれ以上のトランスポンダー・モジュールの一つと前記アクセス・モジュールとの間にデータリンクを確立するステップと、を含むことができる。
【００１８】
この方法は、アクセス・モジュール（「アクセスキー」）が、ＣＡＮバスを介してトランスポンダーにアクセスすることを可能にするものである。該ＣＡＮバスは、標準化された有線シリアル通信バス（ＩＳＯ−１１８９８：２００３に記載のもの）であり、これは、ＲＦ干渉に対して非常に強く、自動車業界で使用されているものである。したがって、スポーツ計時トランスポンダーを設置する際、該ＣＡＮバスは、車両の（標準）ＣＡＮバスに接続することができる。次いで、アクセスキーを用いて、トランスポンダーを活動状態にし、かつ（あるいは）、（再）構成してからそれをレーシング・イベントで使用することができる。
【００１９】
アクセスキーは、ＣＡＮバスに接続して、いわゆるアナウンスＣＡＮメッセージをブロードキャストし、ＣＡＮＩＤ（アンサーＣＡＮ ＩＤ）をダイナミックにトランスポンダーに割り当てることができる。ＣＡＮＩＤ（ＩＳＯ−１１８９８：２００３に規定された標準ＣＡＮ１１ビット識別子）をＣＡＮメッセージのペイロード（ＣＡＮ規格ではデータフレームと呼ばれている）に格納して、アクセスキーとトランスポンダーとの間にデータリンク（特に、ポイント・ツー・ポイント・データリンク）を確立するのに用いることができる。
【００２０】
すなわち、トランスポンダーを、ＣＡＮ ＩＤを用いて、予め（手動で）構成する必要はない。代わりに、それどころか、アクセスキーがＣＡＮ ＩＤを決定し、そのＣＡＮ ＩＤ（又は他のＣＡＮネットワーク・パラメータ）をトランスポンダーにダイナミックに配布することができる。このＣＡＮＩＤをトランスポンダーに割り当てるやり方は、多くの異なる第三者ＣＡＮ装置（ＣＡＮ規格では「ノード」と呼ばれている）が、ＣＡＮバス（例えば、車両のＣＡＮバス）に接続されていて、各ＣＡＮ装置が、それ自体の一定のＣＡＮＩＤを有している場合に、特に有利である。アクセスキーは、ＣＡＮ ＩＤの選択の完全な実行権を有している。アクセスキーは、ＣＡＮ ＩＤに関連する優先順位を決定することができる。さらに、アクセスキーは、ＣＡＮバスに接続されている他のＣＡＮ装置が使用していないＣＡＮＩＤを選択することができる。
【００２１】
一形態では、この方法は、前記ＣＡＮバスを通じて肯定応答ＣＡＮメッセージをブロードキャストすることによって、前記選択されたトランスポンダー・モジュールとのデータリンクを確立するステップであって、前記肯定応答ＣＡＮメッセージは、前記選択されたトランスポンダーのトランスポンダーＩＤを含むステップを含むことができる。
【００２２】
一形態では、アナウンスＣＡＮメッセージのＣＡＮ ＩＤフィールドは、前記アクセス・モジュールのＣＡＮ ＩＤを含むことができる。別の実施形態では、リクエストＣＡＮメッセージのＣＡＮＩＤフィールドは、アンサーＣＡＮ ＩＤを含むことができる。ＣＡＮメッセージは、アクセス・モジュールが、特定のトランスポンダーにＣＡＮＩＤをダイナミックに割り当て、かつ、アクセス・モジュールとＣＡＮネットワーク内のトランスポンダーとの間に、一時的なポイント・ツー・ポイント接続を確立することができるような情報を含むことができる。
【００２３】
一形態では、この方法は、前記アクセス・モジュールが、一つ又はそれ以上のリクエストＣＡＮメッセージを、前記ＣＡＮバスを通じて、前記一つ又はそれ以上のトランスポンダー・モジュールから受信するステップであって、リクエストＣＡＮメッセージのＣＡＮＩＤフィールドは、アンサーＣＡＮ ＩＤを含むステップを含むことができる。
【００２４】
一形態では、この方法は、前記一つ又はそれ以上のブロードキャストされたアナウンスＣＡＮメッセージの受信に応答して、前記一つ又はそれ以上のトランスポンダー・モジュールは、リクエストＣＡＮメッセージを異なるタイム・インスタンスでアクセス・モジュールにブロードキャストするステップを含むことができる。一形態では、この方法は、トランスポンダー・モジュールが、アナウンスＣＡＮメッセージの受信に応答して、そのトランスポンダーＩＤに基づき、前記リクエストＣＡＮメッセージを前記アクセス・モジュールに放送するタイム・インスタンスを決定するステップを含むことができる。異なるトランスポンダーが、同じアンサーＣＡＮＩＤを有するリクエストＣＡＮメッセージを同時にアクセス・モジュールに送信する可能性を無くすため、各トランスポンダーは、そのトランスポンダーＩＤに基づいて、待ち時間ｔを生成することができる。ここで、トランスポンダーは、トランスポンダーＩＤ（の一部）を用いて、ブロードキャストのための異なるタイム・インスタンスを決定することができる。
【００２５】
一形態では、選択されたトランスポンダー・モジュールは、前記アクセス・モジュールが、最初に受信するリクエストＣＡＮメッセージにおいて識別される。
【００２６】
一形態では、この方法は、前記アクセス・モジュールと前記選択されたトランスポンダー・モジュールとの間にデータリンクを確立して、ユーザーがトランスポンダー内の一つ又はそれ以上の機能の少なくとも一部を使用する権利を有しているかどうかを判定し、トランスポンダー内の一つ又はそれ以上の機能に関連するライセンス情報を送信し、かつ（あるいは）、一つ又はそれ以上のソフトウェアアップデートをトランスポンダーに送信するステップを含むことができる。
【００２７】
一形態では、ユーザーがトランスポンダー内の一つ又はそれ以上の機能の少なくとも一部を使用する権利を有しているかどうかを判定するステップは、時刻情報、好ましくは、前記アクセス・モジュール内のリアルタイム・クロックと関連する暗号化された時刻情報を、前記選択されたトランスポンダー・モジュールに送信して、前記トランスポンダー・モジュールが、トランスポンダー・モジュールのユーザーが一つ又はそれ以上のトランスポンダー機能の少なくとも一部を使用する権利を有しているかどうかをチェックすることを可能にするステップ、を含むことができる。
【００２８】
一形態では、前記アクセス・モジュールをＣＡＮバスに接続するステップは、前記アクセス・モジュールを備えるハードウェア・カードを、前記ハードウェア・カードを受け入れるよう構成されているソケット内に着脱可能に位置決めして、ハードウェア・カードがソケット内に位置決めされたとき、前記ハードウェア・カードの電気接点が前記ＣＡＮバスと電気的な接続状態となるようにするステップを含むことができる。
【００２９】
さらなる態様では、本発明は、アクセス・モジュールを伴ってデータリンクを確立して、一つ又はそれ以上のトランスポンダー機能の少なくとも一部を活動状態にし、かつ（あるいは）、それにアクセスできるようにするよう構成されたトランスポンダー・モジュールにおいて、前記トランスポンダー・モジュールは、前記トランスポンダー・モジュールを前記ＣＡＮバスに電気的に接続するＣＡＮインタフェースと、コンピュータで読取可能な記憶媒体であって、それに収録されたコンピュータで読取可能なプログラムコードを有するコンピュータで読取可能な記憶媒体と、コンピュータで読取可能な記憶媒体に結合されていて、コンピュータで読取可能なプログラムコードの実行に応答するマイクロプロセッサとを備え、前記マイクロプロセッサは、前記アクセス・モジュールからアナウンスＣＡＮメッセージを受信するステップであって、前記アナウンスＣＡＮメッセージのペイロードは、アンサーＣＡＮアドレスを含むステップと、リクエストＣＡＮメッセージを前記一つ又はそれ以上のトランスポンダー・モジュールからブロードキャストするステップであって、各リクエストＣＡＮメッセージは、前記アンサーＣＡＮアドレス及び前記一つ又はそれ以上のトランスポンダー・モジュールの一つのトランスポンダーＩＤを含むステップと、を含む実行可能な動作を行うよう構成されているトランスポンダー・モジュールに関わることができる。
【００３０】
一形態では、前記マイクロプロセッサは、アナウンスＣＡＮメッセージの受信に応答して、前記ＣＡＮバスを通じて前記リクエストＣＡＮメッセージをブロードキャストするタイム・インスタンスを決定するステップであって、前記タイム・インスタンスは、前記トランスポンダーＩＤに基づいて決定されるステップを含む実行可能な動作を行うようさらに構成することができる。
【００３１】
さらなる態様では、本発明は、トランスポンダー・モジュールとのデータリンクを確立するよう構成されているアクセス・モジュールであって、前記アクセス・モジュールは、前記トランスポンダー・モジュール内の一つ又はそれ以上のトランスポンダー機能の少なくとも一部を活動状態にし、かつ（あるいは）、それにアクセスするよう構成されているアクセス・モジュールにおいて、前記アクセス・モジュールは、前記トランスポンダー・モジュールをＣＡＮバスに電気的に接続するためのＣＡＮインタフェースであって、ＣＡＮバスは、一つ又はそれ以上のトランスポンダー・モジュールにさらに接続されているＣＡＮインタフェースと、コンピュータで読取可能な記憶媒体であって、それによって収録されたコンピュータで読取可能なプログラムコードを有するコンピュータで読取可能な記憶媒体と、コンピュータで読取可能な記憶媒体に結合されていて、コンピュータで読取可能なプログラムコードの実行に応答するマイクロプロセッサとを備え、前記マイクロプロセッサは、一つ又はそれ以上のアナウンスＣＡＮメッセージを前記ＣＡＮバスを通じてブロードキャストするステップであって、アナウンスＣＡＮメッセージのペイロードは、アンサーＣＡＮアドレスを含むステップと、一つ又はそれ以上のリクエストＣＡＮメッセージを前記一つ又はそれ以上のトランスポンダー・モジュールから受信するステップであって、リクエストＣＡＮメッセージは、前記アンサーＣＡＮアドレス及び前記一つ又はそれ以上のトランスポンダー・モジュールの一つのトランスポンダーＩＤを含むステップと、前記一つ又はそれ以上のリクエストＣＡＮメッセージに基づき、トランスポンダー・モジュールを選択して、前記データリンクを確立するステップと、を含む実行可能な動作を行うよう構成されているアクセス・モジュールに関わることができる。
【００３２】
さらなる別の態様では、本発明は、上記のアクセス・モジュールを受け入れるよう構成されているソケットであって、前記ソケットは、一つ又はそれ以上のトランスポンダーに接続されているＣＡＮバスと電気的な接続状態にあり、かつ、前記ソケットは、アクセス・モジュールを前記ソケット内に着脱可能に位置決めするよう構成することができ、アクセス・モジュールが、前記ソケット内に位置決めされたとき、アクセス・モジュールは、ＣＡＮバスと電気的な接続状態になるソケットに関わることができる。
【００３３】
一形態では、ＣＡＮバスは、差動データバスとして構成されている。差動データバスは、高雑音で過酷な環境に対して非常に頑丈であり、したがって、スポーツイベント中、トランスポンダーとアクセス・モジュールとの間で、高いデータ速度での連続的なデータリンクを可能にするものである。
【００３４】
一形態では、アクセス・モジュール及び一つ又はそれ以上のトランスポンダー・モジュールは、前記ＣＡＮバスを通じて、ＣＡＮメッセージを送信し、かつ、受信するよう構成されているＣＡＮコントローラを備えている。
【００３５】
一形態では、ＣＡＮバスは、トランスポンダーが取り付けられている車両のＣＡＮバスである。
【００３６】
一形態では、少なくとも１個のトランスポンダーが、車両のホイールウェル及び（又は）ベースプレートに取り付けられ、アクセスキー用のソケットが、車両のダッシュボード上に取り付けられ、前記ＣＡＮバスを介して、前記トランスポンダーに接続されている。
【００３７】
さらなる態様では、本発明は、車両内で使用するためのトランスポンダー・システムであって、トランスポンダーと、データバス、好ましくは、ＣＡＮバスを介して、前記トランスポンダーに通信可能に接続されるアクセスキーと、前記アクセスキーを受け入れ、かつ、アクセスキーを着脱可能に位置決めするよう構成されているソケットであって、アクセスキーが、前記ソケット内に位置決めされたとき、前記データバスを介してアクセスキーが前記トランスポンダーに電気的に接続されるソケットと、を備え、前記アクセスキーは、前記トランスポンダーを活動状態にし、かつ（あるいは）、トランスポンダーを、ライセンス情報及び（又は）ファームウェアの更新に基づいて、構成するよう構成されているトランスポンダー・システムに関わることができる。
【００３８】
以下、本発明は、添付の図面を参照して、さらに説明し、それにより、本発明に係る実施形態を概略的に示すことになろう。本発明は、これらの特定の実施形態には、いかなる点からも制限されないことが理解されよう。
【図面の簡単な説明】
【００３９】
【図１】本発明の一実施形態に係るスポーツ計時システムを概略的に示す。
【図２】本発明の一実施形態に係るトランスポンダー・モジュール及びアクセス・モジュールを概略的に示す。
【図３】本発明の別の実施形態に係るトランスポンダー・モジュール及びアクセス・モジュールを示す。
【図４】本発明の一実施形態に係るアクセス・モジュール及びアクセス・モジュールをＣＡＮバスに着脱可能に接続するためのソケットを示す。
【図５】本発明の一実施形態に係るアクセス・モジュールとトランスポンダー・モジュールとの間に、ＣＡＮベースのデータリンクを確立するための処理の、第１の部分のフロー図を示す。
【図６】本発明の一実施形態に係るアクセス・モジュールとトランスポンダー・モジュールとの間に、ＣＡＮベースのデータリンクを確立するための処理の、第２の部分のフロー図を示す。
【図７】本発明の一実施形態に係るＣＡＮメッセージのデータフォーマットの概略を示す。
【図８】本発明の一実施形態に係るトランスポンダーのトランスポンダー機能にアクセスを行うための処理のフロー図を示す。
【図９】本発明の一実施形態に係るユーザー・アカウントにアクセス・モジュールを接続するシステムを示す。
【図１０】本発明の一実施形態に係るトランスポンダー・モジュールのライセンス情報のデータモデルを示す。
【図１１】本発明におけるシステム及び方法に用いることができる例示的なデータ処理システムを示すブロック図を示す。
【発明を実施するための形態】
【００４０】
図１は、本発明の一実施形態に係るスポーツ計時システムを概略的に示す。具体的には、図１は、スポーツイベントへの参加者によって使用されるスポーツ計時トランスポンダー１０２を備えるスポーツ計時システムであって、少なくとも一つのトランスポンダーが、車両（図示せず）内又はその上に取り付けられ、かつ、一つ又はそれ以上の基地局１１０がレーストラックに沿って設置されるスポーツ計時システムを示す。トランスポンダーは、とりわけトランスポンダー識別子を含むトランスポンダー信号１０８，１０７を基地局１１０に送信するための無線インタフェース１０６を備えることができ、基地局は、トランスポンダー信号を受信するための受信器又はトランシーバ１１３を備えることができる。
【００４１】
一実施形態では、基地局は、レーストラック内に埋設された、又は、その上に配置された誘導性アンテナ１１２、例えば、誘導性ループに接続することができる。ループは、データ通信に対して、約数メートル幅のエリアを規定することができる。特に、車両が、高速でループを横切る場合は、これは、データの送信のための非常に短い時間窓（約２０〜４０ｍｓ）となる。トランスポンダーと基地局との間でデータ通信を成し遂げるためには、既知の変調構成（周波数、位相シフトキーイング及び（又は）振幅変調）を用いることができる。
【００４２】
基地局は、ある大きさの搬送周波数信号を送信することができる。トランスポンダーがアンテナの近傍にある場合には、トランスポンダーは、基地局信号を受信することになり、それへの応答として、搬送波信号を変調することにより、情報、例えば、時刻印を押されたトランスポンダーＩＤを、基地局に送信開始することができる。変調周波数の周波数は、０．４と６ＧＨｚの間の範囲から選択され、好ましくは、０．４と１．０ＧＨｚの間の範囲で、例えば４３３．８６８乃至９１５ＭＨｚの範囲で選択することができる。
【００４３】
トランスポンダーは、搬送周波数信号を受信することなしにメッセージを送信するように構成することもできる。その場合には、トランスポンダーは、３と７ＭＨｚの間でメッセージを送信することができる。
【００４４】
別法として、及び（又は）、付加的に、一実施形態では、基地局は、レーストラックに沿って、及び（又は）、その上に位置付けされている一つ又はそれ以上のＲＦアンテナ１０９に接続することができる。一つ又はそれ以上のＲＦアンテナは、基地局（１００〜２００メートル幅）とトランスポンダーとの間でＷＬＡＮタイプのデータ通信を行うための比較的大きな面積のＲＦエリアを生ずるよう構成することができる。大きなＲＦエリアは、基地局とトランスポンダーとの間のデータ通信のための比較的大きな時間窓とすることができる。したがって、トランスポンダーは、誘導性アンテナ及びＲＦアンテナの両方を介して、基地局と通信するよう構成することができる。
【００４５】
トランスポンダーを備える車両が基地局に近づくと、アンテナ（誘導性ループ及び（又は）ＲＦアンテナ）は、トランスポンダー信号を受信することができ、かつ、受信器が、それを検出できる。受信器内のデコーダは、トランスポンダー信号を復号化し、かつ、それにタイムスタンプを押し、その後、トランスポンダー信号は、一つ又はそれ以上のネットワーク１１４を介して、データ処理システム１１６に送信され、イベントに参加している車両と関連する計時情報が決定される。すなわち、データ処理システムは、レーストラックに沿ってアンテナを通過する全ての車両からトランスポンダーデータを受信することができ、その結果、全車両の正確な計時情報を得ることができ、かつ、当該時刻情報をユーザーに提供することができる。
【００４６】
図１に示すように、トランスポンダーは、さらに、マイクロプロセッサ１１８、データを格納するためのメモリ１２０、電源１２１（例えば、再充電可能なバッテリー及び（又は）外部電源接続用の電源インタフェース）及び一つ又はそれ以上の機能性トランスポンダー・モジュール１２２〜１２６を備えることができる。例えば、一実施形態では、トランスポンダーは、外部ＲＦノードを有する、無線接続を確立するための無線周波数（ＲＦ）モジュール１２２（例えば、Ｂｌｕｅｔｏｏｔｈ（登録商標）、Ｗｉ−Ｆｉ又はＷＬＡＮ接続体）を備えることができる。
【００４７】
一実施形態では、トランスポンダーは、バス・インタフェース・モジュール１２４を備えることができる。バス・インタフェースは、コントローラ・エリア・ネットワーク（ＣＡＮ）バス等の過酷な電磁環境に耐えられるバス・インタフェースとすることができる。このＣＡＮインタフェースを用いて、車両のモーター管理システム（図示せず）と有線通信リンクを確立することができる。すなわち、トランスポンダーは、車両情報を受信して、これを、トランスポンダー内の、例えば、データ・ロギング・モジュール１２６に格納することができる。
【００４８】
別の実施形態では、機能性モジュールは、ある時点における車両の場所を判定するためのＧＰＳモジュールを含むことができ、かつ（あるいは）、双方向データリンク・モジュールは、基地局とトランスポンダーとの間の双方向データ通信を可能にすることができる。その場合には、トラックに沿った基地局の少なくとも一部は、アンテナに接続される受信器及び送信器の両方を備えることができる。
【００４９】
以下でより詳しく説明するように、トランスポンダーは、データバス・インタフェース１３０を介してトランスポンダーに接続できる外部アクセス・モジュール１０４に基づいて、構成することができ、かつ（あるいは）、活動状態にすることができる。具体的には、トランスポンダーは、アクセス・モジュール内に格納されているライセンス情報をトランスポンダーに送信することによって、構成することができ、かつ（あるいは）、活動状態にすることができ、トランスポンダーは、次いで、ライセンス情報を用いることができ、かつ、トランスポンダー機能を適宜に構成することができる。
【００５０】
アクセス・モジュールは、ＣＡＮバス又はＲＳ-４２２バス等の有線（差動）データバスを介してトランスポンダーと通信するよう構成することができる。差動データバスは、高雑音で過酷な環境に対して非常に頑丈であり、したがって、スポーツイベント中、トランスポンダーとアクセス・モジュールとの間で連続的なデータリンクを可能にするものである。例えば、トランスポンダーは、ホイールウェル内に取り付け、かつ、車両の便利でアクセス可能な一部、例えば、車両のダッシュボード上に設置することができる取付けアセンブリ（ソケット）に、ＣＡＮバスを介して、接続することができる。アクセス・モジュールは、アクセス・モジュールのＣＡＮインタフェースが、ＣＡＮバスと電気的な接触を為すよう、ソケット内に着脱可能に取り付けることができる。
【００５１】
アクセス・モジュールは、一つ又はそれ以上の一意のトランスポンダー識別子１３２を含むことができ、トランスポンダー識別子は、アクセス・モジュールのハードウェアレジスタ内に安全に格納することができる。アクセス・モジュールは、さらに、マイクロコントローラ１３４、セキュア・モジュール１３６及びメモリ１３８を備えることができる。ここで、セキュア・モジュールは、タンパーフリー・ハードウェア及び（又は）ソフトウェアモジュールとして構成することができる。セキュア・モジュールは、トランスポンダーとの通信中に用いられる機密情報を格納するよう構成することができる。以下でより詳しく説明するように、ユーザーが、トランスポンダー内の或る機能性モジュールにアクセスする（それを用いる）及び（又は）それを構成する権利を有しているかどうかを判定する処理は、タンパーフリー・リアルタイム・クロック１４０の時刻情報及び（又は）ライセンス情報１４２のトランスポンダーへの送信を含むことができる。
【００５２】
好ましくは、ライセンス情報１４２は、アクセス・モジュールのメモリ内に暗号化された形態で格納することができる。トランスポンダー内のセキュア・モジュール１４６は、暗号化されたライセンス情報を復号化し、かつ、ライセンス情報をクリアテキストでセキュアメモリ１５０に格納するよう構成することができる。ライセンス情報（これは権利情報とも呼ばれる）は、トランスポンダーのマイクロプロセッサが、これを用いて、ユーザーがどのトランスポンダー機能にアクセスすることができるかを判定することができるものである。具体的には、ライセンス情報は、アクセス条件を含むことができ、アクセス条件は、時刻、トランスポンダーの場所、及び（又は）、トランスポンダーの使用に依存することができる。ライセンス情報及びアクセス条件は、以下でより詳しく説明する。
【００５３】
したがって、図１に示すようなトランスポンダー・システムは、ライセンス、すなわち、或るトランスポンダー機能に対して条件付きのアクセスができるユーザー権利に基づいた一つ又はそれ以上のトランスポンダーの簡単でフレクシブルな構成を可能にするものである。ライセンス情報は、アクセス・モジュールを用いて、トランスポンダーに付与することができ、アクセス・モジュールは、ライセンス情報及びソフトウェア更新のための安全なモバイルデータ搬送波としても、トランスポンダー機能へのアクセスのためのアクセス・モジュール（キー）としても役立ち得るものである。ライセンス・モジュールは、トランスポンダーと無線通信するか、あるいは、データバス、好ましくは、ＣＡＮバス等の差動信号データバスを介してトランスポンダーと通信するよう構成することができる。すなわち、トランスポンダーは、アクセス・モジュールに着脱可能に接続して、トランスポンダーを車両から取り外すことなく、ユーザーのニーズに従って、これを構成することができる。アクセス・モジュールは、ユーザーがトランスポンダーを所有している間に、計時操作員が、異なるトランスポンダー機能を効率よく利用できるようになし得るものである。
【００５４】
図２は、本発明の一実施形態に係るトランスポンダー・システムを概略的に示す。具体的には、図２は、トランスポンダー・システムのより詳細な例を示し、トランスポンダー２０２は、ライセンシング情報に基づいて構成することができる複数の機能性モジュール２０６、２２２、２２４、２２６、２２８、２２９を備えることができる。トランスポンダー２０２は、レーシングトラックに沿った基地局との通信のための（標準）無線インタフェースモジュール２０６に接続されるマイクロプロセッサ２１８、トランスポンダーとレーストラックに沿って（例えば、フィニッシュエリアに）配置されるＷＬＡＮとの間に迅速な高速データリンクとなる無線周波数（ＲＦ）インタフェースモジュール２２２、トランスポンダーによって用いることができる場所情報を生成するためのＧＰＳモジュール２２４、データ・ロギング・モジュール２２６、及びＣＡＮコントローラモジュール２２８を備えることができる。
【００５５】
ＣＡＮコントローラモジュールは、トランスポンダーを車両のＣＡＮバスに接続して、トランスポンダーが、車両のモーター管理システム及び（又は）ＣＡＮバスに接続されている他のセンサーモジュールと通信できるようにすることを可能にするものである。トランスポンダーは、さらに電源モジュール２２９（例えば、再充電可能なバッテリー及び（又は）外部電源接続用の電源インタフェース）を備えて、トランスポンダー内の機能性モジュールへの電力供給を制御することができる。
【００５６】
トランスポンダーの機能性モジュールのアクセス及び構成は、トランスポンダーのセキュア・モジュール２４６内に格納されているライセンス情報によって制御することができる。トランスポンダーのマイクロプロセッサは、セキュア・モジュール内のライセンス情報（権利情報とも呼ばれる）を用いて、ユーザーが、どの機能性モジュールに、どんな条件でアクセスできるかを決定することができる。これらの条件は、アクセス条件と呼ぶことができ、それらは、図１０を参照してより詳細に説明する。
【００５７】
アクセス・モジュール２０４は、適当なインタフェース、例えば、ＣＡＮバスを用いて、トランスポンダーに着脱可能に接続することができる。接続を確立する場合には、認証手続を用いて、トランスポンダーに対しアクセス・モジュールを認証することができ、また、その逆を行うことができる。トランスポンダーをアクセス・モジュールに対して認定するための認証手続の際には、トランスポンダー識別子２５６、例えば、一意のトランスポンダー（シリアル）番号を用いることができる。トランスポンダーのタンパーフリー・レジスタ内に格納することができるトランスポンダー識別子は、アクセス・モジュール内に格納されている一つ又はそれ以上のトランスポンダー識別子２３２とマッチングさせることができる。
【００５８】
トランスポンダーとアクセス・モジュールとの間の接続が、うまく確立された場合には、トランスポンダーのマイクロプロセッサは、アクセス・モジュールのセキュア・モジュール２３６内のリアルタイム・クロック２４０に由来する時刻情報に基づき、ユーザーがどの機能にアクセスできるのか、判定することができる。アクセス・モジュールのセキュア・モジュールは、トランスポンダー内のセキュア・モジュールに時刻情報を暗号化された形態で送信するための暗号モジュール２３８を備えて、トランスポンダー機能及び（又は）ライセンス・キーの不正使用が防止できるようにすることができる。そのため、第１の暗号システムを用いて、暗号化された時刻情報をトランスポンダーに送信することができる。第１の暗号システムは、トランスポンダーとアクセス・モジュールとの間で交換されるデータを暗号化及び復号化して、時刻情報をトランスポンダーに安全に送信するための暗号化及び復号化アルゴリズム及び少なくとも一つのキーを備えることができる。計時情報を暗号化された形態でトランスポンダーに送信するためには、（拡張及び（又は）補正された）小さな暗号化アルゴリズム（ＴＥＡ）又はＲＣ４又はそのバリアント等の既知の「光」暗号システムを用いることができる。
【００５９】
アクセス・モジュールは、暗号化されたライセンス情報２４２及び（又は）暗号化されたソフトウェア・コード２４４（例えば、ファームウェア・アップデート及び（又は）パッチ）を含むメモリを備えることができ、ライセンス情報及び（又は）ソフトウェア・コードは、第２の暗号システムに基づいて暗号化される。
【００６０】
以下でより詳しく説明するように、アクセス・モジュールは、ライセンス情報及び（又は）ソフトウェアを暗号化された形態で格納するための、また、トランスポンダー機能にアクセスを行うための安全なモバイルデータ搬送波として用いることができる。計時情報とは対照的に、アクセス・モジュールは、アクセス・モジュール内に格納されているライセンス情報及び（又は）ソフトウェアを復号化するのに用いることができる第２の暗号システムの構成部分、例えば、キー情報（復号化キー）、を含んでいない。したがって、第２の暗号システムは、ＡｄｖａｎｃｅＥｎｃｒｙｐｔｉｏｎ Ｓｔａｎｄａｒｄ（ＡＥＳ）又はその変形等のより拡張された暗号化構成に基づいて実現することができる。
【００６１】
一実施形態では、第２の暗号システムは、非対称の暗号システム、例えば、プライベート・パブリック暗号システムとして実現することができ、ライセンス情報及び（又は）ソフトウェア・コードは、パブリック・キーを用いて暗号化することができ、また、アクセス・モジュールのセキュア・モジュール内に格納されている異なる（シークレット）プライベート・キーを用いて、復号化することができる。別法として、第２の暗号システムは、対称暗号システムとして実現することができ、暗号化キーは、復号化キーと同一である。
【００６２】
一実施形態では、アクセス・モジュールは、ライセンス及びソフトウェア・コードのバージョン情報（これは、バージョン番号及び（又は）タイムスタンプを含むことができる）をトランスポンダーに送信して、トランスポンダーが、バージョン情報をトランスポンダーのセキュア・モジュール内に格納されているライセンス及び（又は）ソフトウェア・コード・バージョンと比較することができるようにすることができる。別法として、アクセス・モジュールは、トランスポンダーにインストールされているライセンス及びソフトウェア・コードのバージョン情報を受信して、アクセス・モジュールが比較を行えるようにすることができる。トランスポンダー又はアクセス・モジュールによって、新しいライセンス情報及び（又は）ソフトウェア・コードがトランスポンダーに利用できると判定された場合には、新しいバージョン（複数も可）は、復号化のため、トランスポンダーのセキュア・モジュール２４６に送信することができる。
【００６３】
トランスポンダーのセキュア・モジュール内の暗号モジュール２４８は、第２の暗号システム（すなわち、暗号化及び復号化アルゴリズム及びキー情報）を用いて、ライセンス情報及び（又は）ソフトウェア・コードを復号化することができ、また、第１の暗号システムを用いて、データを復号化し、かつ、暗号化し、暗号化された時刻情報をトランスポンダーからライセンス・キーに送信することができる。
【００６４】
例えば、暗号化されたライセンス情報及び（又は）ソフトウェア・コードが、アクセス・モジュールによって、トランスポンダーに送信される場合は、暗号モジュールは、第２の暗号システムの少なくとも一つの復号化キーを用いて、暗号化されたライセンス情報及びソフトウェア・コードを復号化することができる。復号化キー及び復号化された（クリアテキスト）ライセンス情報２５０及び（又は）ソフトウェア・コード２５２は、セキュア・モジュールのタンパーフリー・メモリ内に格納することができる。
【００６５】
上述したように、トランスポンダーは、アクセス・モジュール内のリアルタイム・クロックに由来する時刻情報を用いて、或るトランスポンダー機能の使用についての一時的なアクセス条件が、満足されているかいないかをチェックすることができる。いくつかの実施形態では、ライセンス情報内のいわゆる満期情報（すなわち、どの時点までライセンスが有効であるかを決定する情報）は、トランスポンダーのセキュア・モジュール内のタイマー２５４の期間を決定するのに用いることができる。タイマーは、ライセンスが有効である期間をモニターするのに用いることができる。例えば、一実施形態では、タイマーは、カウンターとして実現することができ、タイマーが、予め決められた値（例えば、ゼロ）に達した時、ライセンス（の一部）を終了させることができる。マイクロプロセッサは、中央データ処理システムが処理できるトランスポンダー・メッセージ１０８にタイマー情報を挿入して、スポーツイベントへの参加者のライセンス（の一部）の有効性が適時にモニターできるようにすることができる。
【００６６】
一実施形態では、タイマー情報は、トランスポンダー・メッセージに継続的に挿入される。別法として及び（又は）付加的に、一実施形態では、タイマー情報は、タイマーが、時間期間の終わりに達した時、トランスポンダー・メッセージに挿入することができる。その場合、ライセンス期間の終端は、トランスポンダー・メッセージ内のフラグ又はコードに基づいて、中央データ処理システムに知らせることができる。
【００６７】
図３は、本発明のさらなる実施形態に係るＣＡＮベースのトランスポンダー・システムを示す。この特定の実施形態では、システムは、ＣＡＮインタフェース３０６、３０８を介して、ＣＡＮバス３１０に接続されるトランスポンダー３０２及びアクセス・モジュール３０４を備えることができる。一実施形態では、ＣＡＮバスは、一つ又はそれ以上のトランスポンダーと少なくとも一つのアクセス・モジュールとの間にローカルネットワークを形成するよう配置することができる。ＣＡＮバス信号は、差動とすることができ、したがって、高雑音で過酷な環境に対して強く、かつ、高い信号速度を可能にする。
【００６８】
ＣＡＮバスに接続される装置（「ノード」と呼ばれることもある）は、ＣＡＮプロトコルに基づいて、互いに他と通信するよう構成することができる。ＣＡＮ規格ＩＳＯ-１１８９８:２００３は、バスに接続される全てのノードをリンクし、かつ、ノードが、ＣＡＮメッセージに基づいて互いに他と対話することを可能にする通信ネットワークを規定する。中央コントロール・ノードは、有っても無くてもよく、また、ノードは、いつでも、たとえネットワークが動作中（「ホットプラッギング」と呼ばれる場合がある）であっても、追加することができる。ＣＡＮ規格に準拠して構成されている装置は、ＣＡＮ装置と呼ばれる場合がある。
【００６９】
一実施形態では、図３のＣＡＮバスは、レーシング・イベントに参加する車両のＣＡＮネットワークの一部とすることができる。その場合には、トランスポンダー及び（又は）アクセス・モジュールは、ＣＡＮプロトコルに基づいてＣＡＮバスに接続されている他の（第３者の）ＣＡＮ装置５１２と通信するように構成することもできる。例えば、トランスポンダー及び（又は）アクセス・モジュールは、ＣＡＮプロトコルに基づいて、車両モーター管理システム及び（又は）他の車両センサー装置と通信することができる。
【００７０】
図３のトランスポンダー及びアクセス・モジュールの機能性の大部分は、図２を参照して説明したものと同様なものとすることができる。したがって、トランスポンダーは、基地局のための無線インタフェース３１４と、マイクロプロセッサ３１６と、トランスポンダー識別子３２０を含むメモリ３１８と、電源３２１（例えば、再充電可能なバッテリー及び（又は）外部電源接続用の電源インタフェース）と、そして、ライセンス情報３２４、ソフトウェア・コード３２６（例えばファームウェア）、キー情報３２８及びタイマー３２７を含むセキュア・モジュール３２２とを備えることができる。同様に、アクセス・モジュールは、マイクロプロセッサ３３０と、暗号化されたライセンス情報３３４及びソフトウェア・コード３３６（例えばファームウェア・アップデート）を含むメモリ３３２と、キー情報３４０及びリアルタイム・クロック３４２を含むセキュア・モジュール３３８とを備えることができる。アクセス・モジュールは、アクセス・モジュールに接続できるトランスポンダーを識別するための一つ又はそれ以上のトランスポンダーＩＤ３４４をさらに備えることができる。
【００７１】
トランスポンダー及びアクセス・モジュールがＣＡＮバスを介して通信するため、トランスポンダー及びアクセス・モジュールは、ＣＡＮメッセージを、ＣＡＮバスを通じてバスに接続されている他のＣＡＮ装置にブロードキャストし、かつ、他のＣＡＮ装置からブロードキャストされたＣＡＮメッセージを受信するためのトランシーバ（図示せず）を制御するよう構成されているＣＡＮコントローラ３４６，３４８を備えることができる。ＣＡＮコントローラは、ＣＡＮバスを通じて、ＣＡＮメッセージをブロードキャストすることができ、各ＣＡＮメッセージは、ＣＡＮ識別子（ＣＡＮＩＤ）を含むソース識別子を有し、ＣＡＮメッセージをブロードキャストしたＣＡＮ装置は、ＣＡＮＩＤで識別される。ＣＡＮ ＩＤは、ＩＳＯ-１１８９８：２００３に規定された標準ＣＡＮ １１ビット 識別子として実現することができる。 
【００７２】
アクセス・モジュールは、ＣＡＮバスに接続されているトランスポンダーにそのＣＡＮメッセージをブロードキャストするための一つ又はそれ以上のＣＡＮＩＤ３５２を含むＣＡＮテーブル３５０をそのメモリ内に備えるＣＡＮ装置として構成することができる。トランスポンダーのＣＡＮコントローラは、ＣＡＮメッセージをアクセス・モジュールのＣＡＮＩＤでフィルター処理するためのフィルターを備えることができる。
【００７３】
従来のＣＡＮネットワークでは、ＣＡＮ装置は、一般に、スタティックな予め設定されているＣＡＮＩＤを含んでいる。しかしながら、この構成は、スポーツ計時トランスポンダーにはあまり適当ではない。なぜなら、スポーツ計時トランスポンダーは、第三者のＣＡＮバス（車両のＣＡＮバス）に接続されている場合があり、第三者のＣＡＮバスは、既にそれに接続されている多数のノードを有している場合があるからである。例えば、トランスポンダーのスタティックな（予め設定されている）ＣＡＮＩＤが、別のＣＡＮ装置のＣＡＮ ＩＤと一致する場合は、トランスポンダー、アクセス・モジュール及び他のＣＡＮ装置（車両管理システム等）間のデータ通信は、途絶えることになろう。したがって、ある実施形態では、アクセス・モジュールは、ＣＡＮＩＤをトランスポンダーにダイナミックに割り当てるよう構成することができる。
【００７４】
トランスポンダーへのＣＡＮ ＩＤのダイナミックな割り当ては、アクセス・モジュールが、いわゆるアナウンスＣＡＮメッセージをトランスポンダーにブロードキャストすることで開始することができ、アナウンスＣＡＮメッセージのソースＩＤフィールドには、アクセス・モジュール３０４のＣＡＮＩＤ（lmCANid）が含まれている。アクセス・モジュールは、ＣＡＮメッセージのペイロードの予め決められた一部に選択されたＣＡＮ ＩＤを挿入することができる。このＣＡＮ ＩＤは、アンサーＣＡＮＩＤ（aCANid）３５４と呼ばれる場合があり、これは、トランスポンダーが、ソースＩＤとして用いるべきものである。aCANidは、アクセス・モジュールが、ＣＡＮテーブル内の利用可能なＣＡＮ ＩＤのリストから選択することができるものである。一実施形態では、アクセス・モジュールは、ＣＡＮバスに既に接続されているＣＡＮ装置の（スタティック）ＣＡＮＩＤと一致しないＣＡＮ ＩＤを選択することができる。アクセス・モジュールは、したがって、ＣＡＮＩＤ（アンサーＣＡＮ ＩＤ＜aCANid＞をトランスポンダーにダイナミックに割り当てるためのアナウンスＣＡＮメッセージを用いることができ、トランスポンダーは、そのメモリ３５６内にアンサーＣＡＮＩＤを格納することができる。
【００７５】
アンサーＣＡＮＩＤのトランスポンダへの割り当てを確認するため、トランスポンダーは、レスポンスＣＡＮメッセージをアクセス・モジュールにブロードキャストすることによって応答することができ、レスポンスＣＡＮメッセージのソースＩＤフィールドには、アンサーＣＡＮＩＤ（aCANid）が含まれている。さらに、トランスポンダーは、そのトランスポンダーＩＤ３２０（例えば、シリアル番号）をレスポンスＣＡＮメッセージのペイロードの予め決められた一部に挿入することができる。アクセス・モジュールが、ソースＩＤフィールド内にアンサーＣＡＮＩＤを有するレスポンスＣＡＮメッセージを受信すると、アクセス・モジュールは、このメッセージが、前に送信されたアナウンスＣＡＮメッセージに応答して、トランスポンダーによって送信されたものであり、ペイロードは、トランスポンダーのトランスポンダーＩＤを含んでいる、と判断することができる。
【００７６】
アクセス・モジュールは、次いで、そのメモリ内に格納されているトランスポンダーＩＤ３４４で、レスポンスＣＡＮメッセージ内のトランスポンダーＩＤをチェックして、アクセス・モジュールをトランスポンダーと共に用いることができるかどうかを判定することができる。例えば、レスポンスＣＡＮメッセージ内のトランスポンダーＩＤが、アクセス・モジュール内のトランスポンダーＩＤに一致している場合は、アクセス・モジュールは、トランスポンダーとの通信リンクを確立して、例えば、暗号化されたライセンス情報、ソフトウェア・コード（例えばファームウェア）及び（又は）時刻のトランスポンダーへの送信を含むデータ交換ができる、と判定することができる。この処理のより詳細な説明は、図５及び図６を参照して行うことになる。
【００７７】
図４は、アクセス・モジュールを、ＣＡＮバスを介して、本発明の一実施形態に係るトランスポンダーに着脱可能に接続するためのシステムを示す。具体的には、図４は、（図１〜３を参照して説明した）アクセス・モジュールを備える（ハードウェア）メモリカード４０６、及び、ハードウェアカードを受け入れ、かつ、メモリカードをソケット内に着脱可能に位置決めするよう構成されているソケット４０４を示す。ハードウェアカードが、ソケット内に位置決めされると、ハードウェアカードの電気接点４１０が、ＣＡＮバスワイヤ４０８を介して、トランスポンダー４０２に電気的に接続することができるソケットの接点４１１と電気的な接触を為す。トランスポンダー及びアクセスキーは、さらなるＣＡＮバスワイヤ４０９により、図４に示したシステムが取り付けられている車両のＣＡＮバスに接続することができる。図４の挿入図は、ディスプレイ４１２を備えて、ある情報をドライバーに表示することができるアクセス・モジュールの上面側を示す。
【００７８】
図４のシステムの車両内における設置可能な箇所は、トランスポンダーが、アクセスするのが比較的難しい個所、例えば、車両のホイールウェル及び（又は）ベースプレートに取り付けでき、また、アクセスキー用のソケットが、ドライバーが容易にアクセス可能な個所（例えば、車両のダッシュボード）に取り付けできるようになっている。トランスポンダーは、トランスポンダーから基地局への良好な信号転送、及び、その逆の良好な信号転送を保証するため、このような個所に取り付ける必要がある。ＣＡＮバスを介して、トランスポンダーとアクセスキーとの間にデータリンクを確立するためには、車両のＣＡＮバス（の一部）を用いることができる。ＣＡＮバスは、過酷な環境（例えば、電磁ノイズ）に対して、非常に頑丈なので、異なる条件下で確実なデータ接続が確立できる。
【００７９】
図４のシステムは、明らかに、ＣＡＮバスを介して、アクセス・モジュールに接続される複数のトランスポンダー（例えば、メイントランスポンダー及び一つ又はそれ以上のバックアップトランスポンダー）にまで拡張できる。アクセス・モジュールは、トランスポンダーを活動状態にするキーとして用いることができ、かつ、ライセンス情報及び（又は）ファームウェア・アップデートに基づき、アクセス・モジュールとして用いて、トランスポンダーを構成することができる。
【００８０】
図５は、本発明の一実施形態に係る一つ又はそれ以上のスポーツ計時トランスポンダーのトランスポンダー機能への、ＣＡＮベースのアクセスを行うための処理の、第１のフェーズのフロー図を示す。具体的には、このフロー図は、例えば図３を参照して説明したアクセス・モジュールにＣＡＮバスを介して接続されているトランスポンダーのトランスポンダー機能にアクセスを行うための処理に関する。
【００８１】
処理は、それぞれトランスポンダーＩＤで識別される一つ又はそれ以上のトランスポンダーが、ＣＡＮバスから、或るＣＡＮＩＤ（ｌｍＣＡＮｉｄ）で識別されるアクセス・モジュールに由来するアナウンスＣＡＮメッセージを聴取することで開始することができる（ステップ５０２）。次いで、アクセス・モジュールは、アナウンスＣＡＮメッセージを生成することができるが、アナウンスＣＡＮメッセージには、アンサーＣＡＮＩＤ（aCANid）が、そのペイロードの特定の一部に挿入されている（ステップ５０４）。生成されたアナウンスＣＡＮメッセージは、次いで、ＣＡＮバスを通じて、ＣＡＮバスに接続されている他のＣＡＮ装置、この例では、２つのトランスポンダーにブロードキャストすることができる（ステップ５０６）。その後、アクセス・モジュールは、ＣＡＮメッセージのソースＩＤフィールドとしてのアンサーＣＡＮＩＤで、ＣＡＮバスからＣＡＮメッセージの聴取を開始することができる（ステップ５０８）。
【００８２】
一方、トランスポンダーは、アナウンスＣＡＮメッセージを受信し、かつ、ＣＡＮメッセージのソースＩＤに基づき、メッセージがアクセス・モジュールに由来する、と判定することができる。さらに、トランスポンダーは、メッセージが、アナウンス・メッセージである、と判定し、かつ、ペイロードから、アンサーＣＡＮＩＤ（ａＣＡＮｉｄ）を抽出することができる（ステップ５１０）。一つ又はそれ以上のトランスポンダーが、アクセス・モジュールから情報（例えば、ライセンス情報、時刻及び（又は）ソフトウェア・アップデート）を受信したい場合は、レスポンスＣＡＮメッセージを生成することができる。このメッセージは、以後、「リクエスト・インフォ」ＣＡＮメッセージと呼ぶことができ（ステップ５１２、５１４）、リクエスト・インフォＣＡＮメッセージのソースＩＤは、aCANidを含むことができ、かつ、ペイロードの予め決められた一部は、トランスポンダーＩＤを含むことができる。
【００８３】
異なるトランスポンダーが、同じaCANidを有するリクエスト・インフォＣＡＮメッセージを、同時にアクセス・モジュールに送信する可能性を無くすため、各トランスポンダーは、そのトランスポンダーＩＤに基づいて、待ち時間ｔを生成することができる（ステップ５１６，５１８）。例えば、一実施形態では、トランスポンダーＩＤの少なくとも一部を、トランスポンダー内のランダム・ジェネレータ用のシードとして用いて、各トランスポンダーが、異なる待ち時間（例えば、図５の例では、第１の待ち時間t1及び異なる第２の待ち時間t2）を生成するようにすることができる。
【００８４】
第２の待ち時間がより短かったときは、第２のトランスポンダーは、メッセージのペイロード内にそのトランスポンダーＩＤ（この例では、トランスポンダー２のシリアル番号シリアル#2）を含むリクエスト・インフォＣＡＮメッセージをアクセス・モジュールに送信する最初のトランスポンダーとなることができる（ステップ５２０）。その後、第２のトランスポンダーは、期間について、アクセス・モジュールからレスポンス・インフォ・メッセージの聴取を開始することができる（ステップ５２２）。一実施形態では、トランスポンダーは、予め決められた時間（「タイムアウト」）後に、レスポンス・インフォ・メッセージの聴取を停止し、かつ、その以前の聴取状態（すなわち、図５のステップ５０２を参照して説明した状態）に戻り、アクセス・モジュールに由来するアナウンス・メッセージを聴取するよう構成することができる。
【００８５】
図５の例では、第２のトランスポンダーは、アクセス・モジュールにリクエスト・インフォ・メッセージを送信する最初のトランスポンダーとなっている。応答の際には、アクセス・モジュールは、第２のトランスポンダーのトランスポンダーＩＤを含む肯定応答インフォＣＡＮメッセージをトランスポンダーに送信することによって、第２のトランスポンダーのインフォ・リクエストを承認することができる（ステップ５２４）。第２のトランスポンダーのリクエストに肯定応答した後では、アクセス・モジュールは、第２のトランスポンダーのインフォ・リクエスト（複数も可）を完了するまで、他のトランスポンダーのリクエスト・インフォＣＡＮメッセージを受け容れない（ステップ５２６）。待ち時間t1後に、第１のトランスポンダーによって、アクセス・モジュールに送信されるリクエスト・インフォ・メッセージ（ステップ５２８）は、したがって、アクセス・モジュールによって無視されることになる。したがって、第１のトランスポンダーは、そのリクエスト・インフォ・メッセージに対する肯定応答メッセージを受け取らない。予め決められた時間後には、タイムアウトが出現することができ、かつ、第１のトランスポンダーは、その以前の状態に戻って、アクセス・モジュールに由来するアナウンス・メッセージを聴取することができる（ステップ５３０）。
【００８６】
図６は、本発明の一実施形態に係る一つ又はそれ以上のスポーツ計時トランスポンダーのトランスポンダー機能に、ＣＡＮバスを介してアクセスを行うための処理の、第２のフェーズのフロー図を示す。図６の処理は、アクセス・モジュールが、第２のトランスポンダーのトランスポンダーＩＤを含む肯定応答インフォ・メッセージを第２のトランスポンダーへ送信することによって、第２のトランスポンダーのインフォ・リクエストＣＡＮメッセージを処理することを承認する図５の処理後に行うことができる（ステップ６０２）。
【００８７】
第２のトランスポンダーが、第２のトランスポンダーのトランスポンダーＩＤを含む肯定応答インフォＣＡＮメッセージを受信すると、第２のトランスポンダーは、アクセス・モジュールが、そのインフォ・リクエストを受け容れた、と判定することができる。その後、トランスポンダーは、アクセス・モジュールに、新しいライセンス情報が利用できるかどうかを尋ねることができる（ステップ６０４）。そこで、アクセス・モジュールは、トランスポンダーＩＤを用いて、それが、第２のトランスポンダーに送信するための新しいライセンス情報を有しているかどうかを判定することができる（ステップ６０６）。可能な場合、新しい（暗号化された）ライセンス情報は、アクセス・モジュールは、それを、第２のトランスポンダーのセキュア・モジュールに送信することができる（ステップ６０８）。トランスポンダーのセキュア・モジュールは、暗号化されたライセンス情報を復号化し、新しいライセンスを格納し、かつ、ライセンス情報に基づいて、トランスポンダー内に、機能性モジュールを構成することができる（ステップ６０９）。
【００８８】
別法として及び（又は）付加的に、トランスポンダーは、アクセス・モジュールに、時刻情報（例えば、現在の時刻）を要求することができる（ステップ６１０）。これに応答して、アクセス・モジュールは、トランスポンダーのセキュア・モジュールに、暗号化された時刻情報を送信することができる（ステップ６１２）。トランスポンダーのセキュア・モジュールは、時刻情報を復号化し、かつ、それを用いて、トランスポンダーライセンス又はその一部が有効であるかどうかをチェックすることができる（ステップ６１３）。一実施形態では、時刻情報の送信は、図８を参照してより詳細に説明する処理と同様の認証処理を含むことができる。その場合、ステップ６１０でアクセス・モジュールに送信されるＣＡＮメッセージは、暗号化された認証キーＡＵＴＨを含むことができ、暗号化された形態の時刻情報を含むアクセス・モジュールのレスポンス・メッセージを認証することができる。
【００８９】
その後、アクセス・モジュールと第２のトランスポンダーとの間の通信セッションを終了することができる。一実施形態では、第２のトランスポンダーは、肯定応答ストップＣＡＮメッセージを、アクセス・モジュールに送信することができる（ステップ６１４）。別法として、トランスポンダーは、アクセス・モジュールにメッセージを送信することを停止し、予め決められた時間後に、タイムアウトが出現するようにすることができる。その場合、第２のトランスポンダーは、それ自体をアイドル状態に切り換え、予め決められた時間の間、アナウンス・メッセージに応答しないようにすることができる（ステップ６１６）。その後、アクセス・モジュールは、アナウンス・メッセージの生成を開始し（ステップ６１８）、これを、トランスポンダーに送信することができる（ステップ６２０）。その場合、第１のトランスポンダーは、アナウンス・メッセージに応答して、既述したのと同様のやり方で、第１のトランスポンダーとアクセス・モジュールとの間に、通信セッションを確立することができる。
【００９０】
図７は、本発明の一実施形態に係るＣＡＮメッセージのデータフォーマットの概略を示す。ＣＡＮメッセージは、１１ビットＣＡＮ識別子を含む標準のＣＡＮメッセージフォーマット又は２９ビットＣＡＮ識別子を含む拡張ＣＡＮメッセージフォーマットに基づいて、フォーマット化し、ＣＡＮメッセージのソースを識別することができる。ＣＡＮメッセージは、０バイトのデータと８バイトのデータとの間にペイロードを含み、ＤＬＣデータフィールドは、メッセージのバイト数を示すことができる。
【００９１】
図７に示すように、ＣＡＮアナウンス・メッセージ７０２は、アクセス・モジュールのＣＡＮＩＤ（lmCANid）を含むソースＩＤフィールド７０４を含むことができる。ペイロード（又は予め決められたその一部）は、トランスポンダーが、ＣＡＮ ＩＤとして用いるべきアンサーＣＡＮ ＩＤ７０６（aCANid）を含むことができる。ＣＡＮリクエスト・インフォＣＡＮメッセージ７１０は、アンサーＣＡＮＩＤ（aCANid）を含むソースＩＤフィールド７１２を含むことができ、かつ、ペイロード（又は予め決められたその一部）は、リクエスト・インフォＣＡＮメッセージを送信するトランスポンダーのトランスポンダーＩＤ７１４を含むことができる。ＣＡＮ肯定応答インフォ・メッセージ７２０は、アクセス・モジュールのＣＡＮＩＤ（lmCANid）を含むソースＩＤフィールド７２２を含むことができ、かつ、ペイロード（又は予め決められたその一部）は、アクセス・モジュールが通信リンクを確立するため選択するトランスポンダーのトランスポンダーＩＤ７２４を含むことができる。
【００９２】
トランスポンダー内のＣＡＮコントローラ及びアクセス・モジュールは、これらのＣＡＮメッセージを生成し、かつ、それらを、ＣＡＮバスを通じて、他のＣＡＮ装置にブロードキャストするよう構成することができる。同様に、トランスポンダー内のＣＡＮコントローラ及びアクセス・モジュールは、これらのＣＡＮメッセージを受信し、かつ、ペイロード内の情報に基づいて、メッセージを処理するよう構成することができる。図７のメッセージは、アクセス・モジュールが、ＣＡＮＩＤを特定のトランスポンダーにダイナミックに割り当て、かつ、アクセス・モジュールとＣＡＮネットワーク内のトランスポンダーとの間に、一時的なポイント・ツー・ポイント接続を確立することを可能にするものである。
【００９３】
図８は、本発明の一実施形態に係るスポーツ計時トランスポンダーのトランスポンダー機能へのアクセスを行うための処理のフロー図を示す。先ず、アクセス・モジュールとトランスポンダーとの間に、接続を確立することができる。その後、アクセス・モジュールは、一つ又はそれ以上のアナウンス・メッセージをトランスポンダーに送信することができ（ステップ８００）、アナウンス・メッセージは、トランスポンダーが、アクセス・モジュールとのデータ接続を要求できることを示している。
【００９４】
トランスポンダーは、アナウンス・メッセージに応答して、アクセス・モジュールに時刻情報を要求し、ライセンスがまだ有効かどうかをチェックすることができる。アクセス・モジュールの誤用を回避するため、アクセス・モジュールとトランスポンダーとの間に安全な接続を確立することができ、データは、図２を参照して説明した第１の暗号システムを用いて、暗号化される。そのため、トランスポンダー内のセキュア・モジュールは、トランスポンダーの暗号モジュール内の擬似ランダム・ジェネレータによって生成できる認証キーＡＵＴＨ、好ましくは、暗号ナンスを生成することができる。トランスポンダーは、認証キーを格納し、かつ、暗号化アルゴリズム及び少なくとも一つの暗号化キーk1を用いて、認証キーを暗号化することができ（ステップ８０２）、次いでそれは、アクセス・モジュールに、リクエスト・タイム・メッセージで、送信される（ステップ８０４）。リクエスト・タイム・メッセージは、さらにトランスポンダーＩＤを含むことができる。
【００９５】
アクセス・モジュール内のセキュア・モジュールは、第１の暗号システムの復号化アルゴリズム及び復号化キーを用いて、認証キーを復号化することができる（ステップ８０６）。その後、アクセス・モジュールは、レスポンス・タイム・メッセージ内のトランスポンダーＩＤを、アクセス・モジュールのメモリに格納されているトランスポンダーＩＤでチェックすることができる。両方のトランスポンダーＩＤが一致する場合は、アクセス・モジュールは、トランスポンダーに対して使用可能である、と決定することができる。その場合、現在の時刻は、リアルタイム・クロックに基づいて決定し、かつ、認証キーと組合せることができる。時刻と認証キーは、トランスポンダーによって既知である予め決められた機能に基づいて組み合わせることができる。時刻と認証キーは、第１の暗号システムの暗号化アルゴリズム及び暗号化キーを用いて、暗号化することができる（ステップ８０８）。暗号化された情報は、トランスポンダーのセキュア・モジュールに、レスポンス・タイム・メッセージで送信することができ（ステップ８１０）、セキュア・モジュールは、時刻と認証キーを復号化し、かつ、セキュア・モジュールのメモリに格納されている認証キーを復号化された認証キーと比較することができる（ステップ８１２）。
【００９６】
格納されている認証キーが、アクセス・モジュールから受信された認証キーに一致する場合は、トランスポンダーは、レスポンス・タイム・メッセージは正しいアクセス・モジュールに由来する、と判断することができる。その場合、トランスポンダーは、レスポンス・タイム・メッセージ内の現在の時刻を用いて、トランスポンダーのセキュア・モジュール内に格納されているライセンスを見直すことができる。具体的には、トランスポンダーは、現在の時刻を用いて、ライセンス情報内の一時的なアクセス条件が満たされているかどうかチェックすることができる（ステップ８１４）。一実施形態では、トランスポンダーが、アクセス・モジュールに肯定応答メッセージを送信して、アクセス・モジュールに、トランスポンダー内の現行のライセンスが、有効、部分的に有効又は無効であることを知らせることができる（ステップ８１６）。
【００９７】
ライセンスの見直しの結果に応答して、トランスポンダー及び（又は）アクセス・モジュールは、或る対策を開始することができる。例えば、ライセンスが有効である場合は、トランスポンダー機能へのアクセスは、ライセンス情報で規定されたように行うことができる（ステップ８１８）。ライセンス又はその一部が有効でない場合は、トランスポンダー機能へのアクセスができないか、あるいは、限定されたアクセスしか行うことができない（ステップ８２０）。さらに、或る実施形態では、ライセンスが、有効でない場合でも、基本的なトランスポンダー機能へのアクセスは、行うことができ、基地局に送信されるトランスポンダー・メッセージは、中央データ処理サーバの基地局が検出できる満期通知を含むことができる。
【００９８】
図９は、アクセス・モジュールを本発明の一実施形態に係るユーザー・アカウントに接続するシステムを示す。具体的には、図９におけるシステムは、アクセス・モジュール９０６に接続されているユーザー装置９０４（例えば、モバイルホン、電子テーブル、ラップトップ又はパーソナルコンピュータ）を備えている。アクセス・モジュールは、各種のやり方でユーザー装置に接続することができる。一実施形態では、アクセス・モジュールは、例えば、スマートカード又はセキュアディジタル（ＳＤ）カードのようなセキュアカードとして実現することができ、セキュアカードは、ユーザー装置のマイクロプロセッサ９１０に、インタフェース９０８を介して、電気的に接続することができる。別法として、別の実施形態では、アクセス・モジュールは、メモリーカードに格納されたセキュア・ソフトウェアモジュールとして構成することができ、ホワイトボックス暗号方式及び（又は）コード難読化技術などの既知の技術を用いて、キー情報及び暗号化及び復号化アルゴリズムを保護することができる。
【００９９】
ユーザー装置には、トランスポンダー・クライアント・アプリケーション９１２を設置することができ、クライアント・アプリケーションは、（グラフィカル）ユーザーインタフェース９１４をレンダリングして、ユーザー装置９２２の無線インタフェース９１６を制御し、アクセス・モジュールとサーバー９１８上でホストされるトランスポンダー・サーバー・アプリケーションとの間の通信を管理することができる。トランスポンダー・サーバー・アプリケーションは、アクセス・モジュールのユーザーにユーザーアカウント９２０へのアクセスを与えることができる。
【０１００】
アクセス・モジュールは、図１及び図２を参照して説明したのと同様なやり方で構成することができる。具体的には、アクセス・モジュールは、マイクロプロセッサ９４０と、キー情報９４４及びリアルタイム・クロック９４６を含むセキュア・モジュール９４２と、暗号化されたライセンス情報９５０及び（又は）ソフトウェア・コード９５２（例えばファームウェア）を含むメモリ９４８と、一つ又はそれ以上のトランスポンダー識別子９５４とを備えることができる。
【０１０１】
この特定の実施形態では、ユーザーは、トランスポンダー・クライアント・アプリケーションに命令して、サーバーアプリケーションに接続させ、ユーザーアカウント９２０にアクセスして、特定のトランスポンダー識別子９６０と関連する新しいライセンス情報９５６及び（又は）ソフトウェア・アップデート９５８が利用可能かどうかを尋ねさせる。この場合には、サーバーアプリケーションは、キー情報９４４を用いて、第２の暗号システムの暗号化アルゴリズムに基づき、ライセンス情報及び（又は）ソフトウェアの更新を暗号化し、次いで、それを、一つ又はそれ以上のネットワーク９６４及びユーザー装置を介して、セキュア・モジュール９４２に送信することができる。ここで、トランスポンダー・クライアント・アプリケーションとトランスポンダー・サーバー・アプリケーションとの間の通信は、セキュアリンク、例えば、ＨＴＴＰ／ＳＳＬリンクに基づいて、確立することができる。したがって、トランスポンダーに接続する前に、ユーザーは、ユーザーアカウントを介して、アクセス・モジュールを最新のライセンス情報又はソフトウェア・アップデートで更新することができる。別法として及び（又は）付加的に、ユーザーは、新しいライセンスを購入し、あるいは、そのユーザーアカウントを介して、ライセンスをアップグレードし、例えば図２及び図３を参照して詳細に説明した所望のトランスポンダー機能にアクセスすることができる。
【０１０２】
アクセス・モジュールにおけるライセンス情報及びソフトウェアの更新後は、アクセス・モジュールとトランスポンダーとの間のＣＡＮバス接続を確立することができ、また、スポーツ計時トランスポンダーのトランスポンダー機能へのアクセスは、ライセンス及び時刻情報に基づき、図５〜８の処理を参照して説明したのと同様なやり方で、管理することができる。
【０１０３】
図１０は、本発明の各種の実施形態に係るトランスポンダー・システムによって使用されるライセンスのデータモデル１０７０の一例を示す。ライセンス情報は、一つ又はそれ以上のトランスポンダー識別子１０７２及びどのトランスポンダーにライセンスが適用されるのかを示す一つ又はそれ以上のトランスポンダー・タイプ１０７４を含むことができる。さらに、ライセンスは、トランスポンダーの時刻、場所又は使用に依存することができるアクセス条件１０７６，１０８４，１０９０の異なるセットを含むことができる。
【０１０４】
一実施形態では、ライセンスは、一時的なアクセス条件１０７６を含むことができる。これらの条件は、特定のトランスポンダー機能及び満期情報１０７７にリンクさせることができ、満期情報は、トランスポンダー機能へのユーザーによるアクセスが、許される限界の時点を決定する。満期情報は、特定のトランスポンダー機能へのアクセスが、終了するか、あるいは、ある基本的な機能性に制限されることになる日付を含むことができる。図１０の例では、基本的なトランスポンダー機能１０８２は、２０１６年１２月３１日までライセンスが与えられており、また、ＲＦリンク機能１０７８及びデータロギング機能１０８０は、２０１４年１２月３１日までライセンスが与えられている。
【０１０５】
別の実施形態では、ライセンスは、場所の（又は地理的な）アクセス条件１０８４を含むことができる。その場合、トランスポンダー機能のうちの或るものについてのライセンスは、地理的情報１０８３に規定されたエリアに限定される。例えば、図１０では、ＲＦリンク機能及びデータロギング機能は、それぞれ、オランダ及びフランス内の或るエリアに限定されている。ライセンスにおける地理的なエリアは、座標によって規定することができ、これは、トランスポンダー内のＧＰＳモジュールによって生成される場所情報に対比することができる。トランスポンダー機能は、場所情報が、エリア内である場合に用いることができる。
【０１０６】
また別の実施形態では、ライセンスは、使用アクセス条件１０９０を含むことができる。これらの条件は、アクセスをトランスポンダーのある使用に規定することができる。ある実施形態では、（バイナリ）フラグ１０９１の予め決められた値を用いて、トランスポンダーのある使用が必要とされているかどうかを示すことができる。例えば、図１０の例では、第１の使用アクセス条件１０９２のフラグ「キー接触が必要」は、「真」に設定されており、この設定では、トランスポンダー機能へのアクセスは、トランスポンダーが、アクセス・モジュールと接触している時のみ可能である。したがって、このモードでは、アクセス・モジュールは、トランスポンダー機能へのアクセスを「アンロック」するキーとして用いることができる。
【０１０７】
さらに、第２の使用アクセス条件１０９４のフラグ「外部電力源」は、「真」にセットされており、この設定では、トランスポンダー、具体的には、トランスポンダーの電源（バッテリー）を、外部ソースに接続する必要がある。第３の使用アクセス条件１０９６「ＩＳＭ］は、或るＩＳＭバンドに設定することができ、トランスポンダーの無線（ＲＦ）リンクは、２．４５ＧＨｚのＩＳＭバンドを用いることを示している。第４の使用アクセス条件１０９８のフラグ「ＣＡＮコントローラアクセス」は、トランスポンダーが、ＣＡＮバスを介して外部装置に接続できることを示すことができる。多くのトランスポンダー機能、サービス及び使用が、ライセンス情報に基づいて制御可能であること、また、図１０は、限定されない例を示しているに過ぎないことに注目されたい。
【０１０８】
図１〜１０の実施形態は、非限定的であることに注意されたい。さらに、一実施形態の要素は、本発明の範囲を逸脱すること無しに、別の実施形態の一つ又はそれ以上の要素と組み合せることができる。さらに、アクセス・モジュールは、二つ又はそれ以上のトランスポンダー識別子を含んで、アクセス・モジュールが、二つ又はそれ以上のトランスポンダーにアクセスを行えるようにすることもできる。一実施形態では、ライセンス情報は、第１のトランスポンダーと関連する第１のライセンス情報、及び、第２のトランスポンダーと関連する第２のライセンス情報を含むことができる。例えば、或る状況においては、車両は、一つ又はそれ以上のトランスポンダー、例えばトランスポンダーとバックアップトランスポンダーを備えることができる。別の実施形態では、ユーザーは、トランスポンダーを有する二つ又はそれ以上の車両を有することができる。その場合、アクセス条件は、アクセス・モジュールをトランスポンダーに接続して、トランスポンダー機能を活動状態に保ち、ただ一つのトランスポンダーしか、同時には、活動状態にすることができないようにすることを要求することができる。すなわち、アクセス・モジュールは、トランスポンダー機能を活動状態にするためのトランスポンダー・キーとして用いることができる。
【０１０９】
スポーツ計時トランスポンダーは、カー、カート又はモーターを用いるサーキット及びオフロード・レーシング、バイキング・イベント、無線コントロール（ＲＣ）レーシング等を含んでおり、しかし、これらに限定されない、いかなる種類の発動機付き又は非発動機付きのスポーツイベントにも用いることができる。
【０１１０】
図１１は、図１〜１０を参照して説明したシステム及び方法に用いることができる例示的なデータ処理システムを示すブロック図を示す。データ処理システム１１００は、システムバス１１０６を介して、メモリ素子１１０４に結合されている少なくとも一つのプロセッサ１１０２を備えることができる。よって、データ処理システムは、メモリ素子１１０４内にプログラムコードを格納することができる。さらに、プロセッサ１１０２は、システムバス１１０６を介して、メモリ素子１１０４から取得されるプログラムコードを実行することができる。一態様では、データ処理システムは、プログラムコードを格納し、かつ（あるいは）、実行するのに適当なコンピュータとして実現することができる。しかしながら、データ処理システムは、この明細書で説明されている機能を実行することができるプロセッサ及びメモリを備える任意のシステムの形で実現できることを理解されたい。
【０１１１】
メモリ１１０４は、例えば、ローカルメモリ１１０８及び一つ又はそれ以上のバルク記憶装置１１１０等の一つ又はそれ以上の物理的なメモリ装置を備えることができる。ローカルメモリは、プログラムコードの実際の実行の際に一般的に用いられるランダムアクセスメモリや他の非持続性メモリ装置（複数も可）を指すことができる。バルク記憶装置は、ハードドライブ又は他の持続性データ記憶装置として実現することができる。処理システムは、少なくともいくつかのプログラムコードの一時的な格納を行って、実行中にバルク記憶装置１１１０からプログラムコードを検索しなければならない回数を減らす一つ又はそれ以上のキャッシュメモリ（図示せず）を備えることもできる。
【０１１２】
データ処理システムには、入力装置１１１２及び出力装置１１１４として示されている入／出力（I／O）装置をオプショナルに結合することができる。入力装置の例には、例えば、キーボード、マウス等の位置指示装置、等を含めることができるが、それらに限定されない。出力装置の例には、例えば、モニター又はディスプレイ、スピーカ等を含めることができるが、それらに限定されない。入力装置及び（又は）出力装置は、直接、あるいは、途中に介在するI／Oコントローラを通して、データ処理システムに結合することができる。また、データ処理システムには、ネットワーク・アダプター１１１６を結合して、データ処理システムを、途中に介在するプライベート又はパブリックネットワークを介して、他のシステム、コンピュータシステム、遠隔ネットワーク装置、及び（又は）遠隔記憶装置に結合することもできる。ネットワーク・アダプターは、前記システム、装置及び（又は）ネットワークによって、前記データ処理システムに送信されるデータを受信するためのデータ受信器、及び、前記システム、装置及び（又は）ネットワークにデータを送信するためのデータ送信器を備えることができる。モデム、ケーブルモデム、及びイーサネット（登録商標）カードは、データ処理システムに対して用いることができる異なるタイプのネットワーク・アダプターの例である。
【０１１３】
図１１に示すように、メモリ素子１１０４は、アプリケーション１１１８を格納することができる。データ処理システム１１００は、アプリケーションの実行を容易にするオペレーティングシステム（図示せず）をさらに実行することができることを理解されたい。アプリケーションは、実行可能なプログラムコードの形で実現される場合、データ処理システム１１００によって、例えば、プロセッサ１１０２によって実行することができる。アプリケーションの実行に対して応答するデータ処理システムは、ここでさらに詳細に説明する一つ又はそれ以上の動作を行うよう構成することができる。
【０１１４】
一態様では、例えば、データ処理システム１１００は、クライアントデータ処理システムを代表することができる。その場合、アプリケーション１１１８は、それが実行されると、ここで「クライアント」を参照して説明する各種の機能を行うデータ処理システム１１００を構成するクライアントアプリケーションを代表することができる。クライアントの例には、パーソナルコンピュータ、ポータブルコンピュータ、モバイルホン等を含めることができるが、それらに限定されない。
【０１１５】
別の態様では、データ処理システム１１００は、サーバーを代表することができる。例えば、データ処理システム１１００は、ＨＴＴＰサーバーを代表することができ、この場合、アプリケーション１１１８は、実行されると、ＨＴＴＰサーバー動作を行うデータ処理システム１１００を構成する。
【０１１６】
ここで用いられる用語は、特定の実施形態のみを説明するという目的のためのものであり、本発明を限定することを意図したものではない。ここで用いられる、単数形の「a」、 「an」、 及び「the」を冠した名詞又は名詞句は、文脈によって別様に指示される場合を除き、複数形の名詞又は名詞句も同様に含むことを意図したものである。用語「comprise」及び（又は）「comprising」は、本明細書で用いられる場合、記述された特徴、完全体、ステップ、動作、要素、及び（又は）構成要素の存在を明記するが、一つ又はそれ以上の他の特徴、完全体、ステップ、動作、要素、及び（又は）構成要素及び（又は）それらのグループの存在又は追加を排除しないことが、さらに理解されよう。
【０１１７】
以下の請求項における全ての手段又はステッププラスファンクション要素の対応する構成、材料、動作、および等価事項は、特に特許請求された他の特許請求された要素との組合せで機能を実行するいかなる構成、材料、又は動作をも含むことが意図されている。本発明の記述は、説明及び記述の目的で為されたものであり、言い尽くしたり、あるいは、開示された形態の本発明に限定したりする意図はない。当業者には、本発明の範囲及び精神を逸脱することなく多くの修正形態及び変形形態が可能であることは明らかであろう。既述した実施形態は、本発明の原理及び実用例をできるだけ解りやすく説明し、他の当業者が、本発明を理解して、想到される特定の用途に適した各種の修正を有する各種の実施形態に至れるようにするために選び、かつ、記述したものである。
【図１】
0006671340.tif 000002
【図２】
0006671340.tif 000003
【図３】
0006671340.tif 000004
【図４】
0006671340.tif 000005
【図５】
0006671340.tif 000006
【図６】
0006671340.tif 000007
【図７】
0006671340.tif 000008
【図８】
0006671340.tif 000009
【図９】
0006671340.tif 000010
【図１０】
0006671340.tif 000011
【図１１】
0006671340.tif 000012